(57)【要約】【課題】遊技場に設けられているホール用管理コンピュータとの間で信号を送受するための中継用基板を備えた遊技機装置を提供する。【解決手段】遊技メダルの代わりにパチンコ球を使用して回胴式遊技機の遊技を行なう遊技機装置であり、遊技場に設けられたパチンコ遊技機或いは回胴式遊技機を管理するための中央管理装置との間で信号を送受するためのものであり、且つ遊技者が投入したパチンコ球の数に応じて出力する遊技球投入信号を中継するための中継端子５２と、払出した賞球の数に応じて出力する遊技球払出信号を中継するための中継端子５３と、投入したパチンコ球の数と等価な遊技メダルのメダル数に応じて出力する遊技メダル相当入力信号を中継するための中継端子５４と、払出した賞球の数と等価な遊技メダルのメダル数に応じて出力する遊技メダル相当払出信号を中継するための中継端子５５と、を有する中継用基板を具備する。【選択図】    図３
2004208862.tif 000002
【特許請求の範囲】
【請求項１】
遊技メダルの代わりにパチンコ球を使用して回胴式遊技機の遊技を行なう遊技機装置であって、
遊技場に設けられたパチンコ遊技機或いは回胴式遊技機を管理するための中央管理装置との間で信号を送受するためのものであり、且つ遊技者が投入したパチンコ球の数に応じて出力する遊技球投入信号を中継するための中継端子と、払出した賞球の数に応じて出力する遊技球払出信号を中継するための中継端子と、前記投入したパチンコ球の数と等価な遊技メダルのメダル数に応じて出力する遊技メダル相当入力信号を中継するための中継端子と、前記払出した賞球の数と等価な遊技メダルのメダル数に応じて出力する遊技メダル相当払出信号を中継するための中継端子と、を有する中継用基板を具備することを特徴とする遊技機装置。
【請求項２】
前記中継端子は半導体スイッチング素子を用いて入力側と出力側とを電気的に絶縁して信号を中継するものであることを特徴とする請求項１記載の遊技機装置。
【請求項３】
前記各中継端子の出力側は二つの線を用いて信号を出力するものであることを特徴とする請求項１又は２記載の遊技機装置。
【請求項４】
前記中継用基板に予備用の中継端子を設けたことを特徴とする請求項１、２又は３記載の遊技機装置。
【請求項５】
前記半導体スイッチング素子としてホトモスリレーを用いたことを特徴とする請求項１、２、３又は４記載の遊技機装置。
【請求項６】
不正行為を検出したときに発する不正検出信号を中継する中継端子を前記中継用基板に設けたことを特徴とする請求項１、２、３、４又は５記載の遊技機装置。
【発明の詳細な説明】
【０００１】
【発明の属する技術分野】
本発明は、遊技メダルの代わりにパチンコ球を使用して回胴式遊技機の遊技（ゲーム）を行なう新しい遊技機装置に関するものである。
【０００２】
【従来の技術】
従来から遊技機には大別すると、パチンコ球を使用してゲームを行なうパチンコ遊技機と、メダルを使用してゲームを行なう回胴式遊技機とがある。ところで、近年、パチンコ球を使用して回胴式遊技機のゲームを行なう、新しい遊技機装置（以下、単に遊技機装置とも称する。）が開発されている。この遊技機装置は、開発しているメーカ等により若干の相違はあるが、パチンコ遊技機のパチンコ球を発射するハンドルの代わりに、複数のボタンとレバーとを備えている。また、例えば盤面に形成された３列の窓には、図柄が描かれたベルトが走行している。回胴の代わりにベルトを使用することにより、遊技機装置全体の形状を、パチンコ遊技機と同じ厚みとすることができ、したがって、遊技場のパチンコ遊技機の代わりに、本遊技機装置を設置することができる。なお、回胴式遊技機と同じ回胴を用いた場合には、パチンコ遊技機に比べて若干、厚くなると考えられるが、この場合も遊技場のパチンコ遊技機に代えて本遊技機装置を設置することが可能である。
【０００３】
【特許文献１】
特開平５−１３１０６６号公報
【０００４】
【発明が解決しようとする課題】
ところで、上記の新しい遊技機装置も遊技場に配置されれば、遊技場のホール用管理コンピュータによって管理されることとなる。このときに、ホール用管理コンピュータと遊技機装置との間で信号を送受するための中継用基板が必要となる。本願の出願人は、回胴式遊技機については、遊技場に設けられているホール用管理コンピュータと回胴式遊技機と間の信号を中継するための中継用基板を備えた回胴式遊技機について特許出願しており、既に特許権を得ている。
【０００５】
しかしながら、上述した新しい遊技機装置に用いる中継用基板については、これまで検討されていなかった。
【０００６】
本発明は上記事情に基づいてなされたものであり、遊技場に設けられているホール用管理コンピュータとの間で信号を送受するための中継用基板を備えた遊技機装置を提供することを目的とする。
【０００７】
【課題を解決するための手段】
上記目的を達成するために本発明に係る遊技機装置は、遊技メダルの代わりにパチンコ球を使用して回胴式遊技機の遊技を行なう遊技機装置であって、遊技場に設けられたパチンコ遊技機或いは回胴式遊技機を管理するための中央管理装置との間で信号を送受するためのものであり、且つ遊技者が投入したパチンコ球の数に応じて出力する遊技球投入信号を中継するための中継端子と、払出した賞球の数に応じて出力する遊技球払出信号を中継するための中継端子と、前記投入したパチンコ球の数と等価な遊技メダルのメダル数に応じて出力する遊技メダル相当入力信号を中継するための中継端子と、前記払出した賞球の数と等価な遊技メダルのメダル数に応じて出力する遊技メダル相当払出信号を中継するための中継端子と、を有する中継用基板を具備することを特徴とするものである。
【０００８】
【発明の実施の形態】
［実施形態の構成］  以下に、本発明の一実施形態について図面を参照して説明する。先ず、パチンコ遊技機が配置されているパチンコ島に、本発明の一実施形態である遊技機装置が配置された場合（第１の使用態様）について説明する。図１は本遊技機装置が設置された遊技場における、パチンコ遊技機及び本遊技機装置とホール用管理コンピュータとの接続を示す概略図である。図１に示す遊技場では、パチンコ遊技機１１１〜１１ｎが設置されていたパチンコ島１０に、パチンコ遊技機１１３（不図示）に換えて、本実施形態の遊技機装置３０が設けられている。本実施形態の遊技機装置は、ホール用管理コンピュータ（中央管理装置）２０との間で信号を送受するための中継用基板３１を備えている。また、各パチンコ遊技機も、ホール用管理コンピュータ２０との間で信号を送受するための中継用基板２１１・・・を備えている。ホール用管理コンピュータ２０は、パチンコ遊技機や本遊技機装置に投入されたパチンコ球の数や賞球として払出されたパチンコ球の数等を管理する。
【０００９】
図２は、本実施形態の遊技機装置の概略斜視図である。本実施形態の遊技機装置は、回胴式遊技機と同様の方式の回胴３２と、遊技者が購入したパチンコ球を保持する上皿３３と、貯留球を投入するとき、或いは貯留球がないときに上皿３３に保持されたパチンコ球を５球を単位として投入するときに操作する貯留球投入ボタン３４と、ゲームを開始するときに操作する始動スイッチ３５と、回胴を任意に停止するための停止スイッチ３６と、ゲームをスタートしてから一定時間後に点灯して停止スイッチ３６が操作可能であることを知らせる停止可能表示灯３７と、ゲームにおいて入賞したときに入賞賞球数を表示する払出球数表示部３８と、ゲームにおいて入賞したときに払出される遊技球を貯留したときに貯留した球数を表示する貯留球数表示部３９と、貯留したパチンコ球を清算するための貯留球清算ボタン４０と、賞球が払出される上皿用の賞球払出口４１と、賞球が払出される下皿用の賞球払出口４２と、払い出された賞球が上皿２を満たしたときに賞球払出口４２を介して排出されるパチンコ球を保持する下皿４３と、上皿２に保持されたパチンコ球を下皿４２に抜くための上皿球抜きレバー４４と、下皿４２に保持しているパチンコ球を外部に抜くための下皿抜きレバー４５を備えている。なお、図２に示す本遊技機装置の内部には、上述した中継用基板３１（不図示）が設けられている。また、本遊技機装置は、回胴の代わりにベルトを用いたものでもよい。
【００１０】
図３は、本実施形態の遊技機装置に設けられた中継用基板の配線図である。図３に示すように、本中継用基板３１は、遊技機装置が送出する信号を中継するための入力側のコネクタＣＮ１，ＣＮ２，ＣＮ３と、ホール用管理コンピュータに送出する信号を中継するための出力側のコネクタＣＮ４と、入力した信号を電気的に絶縁して出力側に伝えるためのホトモスリレーＰＭ１〜ＰＭ７と、を備える。なお、本実施形態のホトモスリレーには、松下電工（株）のＡＱＹ２１２シリーズのものを使用している。最近のホトモスリレーは、２次側に約１Ａ位の大電流を流すことができる。ホトモスリレーの代わりにホトカプラーを用いてもよいが、ホトカプラーは２次側にこのような大きな電流を流すことができないので、係る大きな電流を流すために別個の装置が必要となる。
【００１１】
コネクタＣＮ１は、ホトモスリレーに供給する電圧（ＤＣ１２Ｖ）を中継する中継端子５１と、遊技者がゲームを行なうためにパチンコ球を投入したときに、投入したパチンコ球の球数に応じて出力される遊技球投入信号を中継する中継端子５２と、ゲームで入賞したときに払出されるパチンコ球の球数に応じて出力される遊技球払出信号を中継する中継端子５３と、遊技者がゲームを行なうためにパチンコ球を投入したときに、投入したパチンコ球の球数と等価な遊技メダルのメダル数に応じて出力される遊技メダル相当投入信号を中継する中継端子５４と、ゲームで入賞したときに払出されるパチンコ球の球数と等価な遊技メダルのメダル数に応じて出力される遊技メダル相当払出信号を中継する中継端子５５と、を備えている。
【００１２】
現在流通しているパチンコ遊技機では、１０個のパチンコ球が投入されたときに、１個の遊技球投入信号を発している。なお、実際には、打った球が全てゲームに使用されるわけではなく、発射した球のうちのいくつかは、発射装置に戻ってくることがある。このため、パチンコ遊技機では、投入したパチンコ球を検出するのではなく、アウト球を検出している。入賞口に入賞したパチンコ球も必ず、アウト球検出器を通過するので、アウト球検出器の値に基づいて、遊技球投入信号を出力している。また、払出の際にも、パチンコ球を１０個払出したときに、１個の遊技球払出信号を出力している。投入されたパチンコ球を検出する毎に信号を出力し、ホール用管理コンピュータがその信号の数を計数すると数が大きくなり過ぎるので、パチンコ遊技機では投入されたパチンコ球を１０個計数するごとに１個の信号を出力することとしている。したがって、本実施形態の遊技機装置でも、１０個のパチンコ球が投入されたときに、１個の遊技球投入信号を出力し、ゲームで入賞したときにも１０個の賞球を検出する毎に、１個の遊技球払出信号を出力している。すなわち、本遊技機装置では、パチンコ遊技機がパチンコ球の投入や払出を検出したときに発する信号と同等の信号を出力することとしている。これにより、パチンコ島に本遊技機装置を設置したときに、既存のホール用管理コンピュータによって、パチンコ遊技機と同様に本遊技機装置の入球・出球を管理することができる。
【００１３】
一方、回胴式遊技機では、投入された遊技メダルを１個検出する毎に、１個の遊技メダル投入信号を出力し、入賞したときに払出される遊技メダルを１個検出する毎に、１個の遊技メダル払出信号を出力している。また、今の時点では、１個の遊技メダルは、５個のパチンコ球と等価である。したがって、本遊技機装置では、投入されたパチンコ球が５個になったときに、１個の遊技メダル相当投入信号を出力し、また、入賞したときに払出されるパチンコ球を計数して５個になったときに一個の遊技メダル相当払出信号を出力することとしている。すなわち、本遊技機装置では、回胴式遊技機が遊技メダルの投入や払出を検出したときに発する信号と同等の信号も出力することしている。
【００１４】
このような同等の信号を出力するのは、次の理由からである。本遊技機装置では、ゲーム内容は回胴式遊技機と同じであるが、投入するものも、入賞したときに払出されるものもパチンコ球である。このため、回胴式遊技機の遊技メダルの投入・払出を管理する既存のホール用管理コンピュータでは、パチンコ球を使用してゲームを行なう本遊技機装置を管理することができない。そこで、本遊技機装置では、投入されたパチンコ球や入賞したときに払出されるパチンコ球の数を同価値の遊技メダルのメダル数に換算し、換算したメダル数に応じた信号を送出する。これにより、回胴式遊技機が遊技メダルの投入や払出を検出したときに発する信号と同等の信号を出力することができる。したがって、本遊技機装置を回胴島に設置した場合にも、回胴式遊技機の管理を行なう既存のホール用管理コンピュータで本遊技機装置の入球と出球を管理することができる。
【００１５】
上述したように、本遊技機装置は、パチンコ遊技機がパチンコ球の投入や払出を検出したときに発する信号と同等の信号（パチンコ遊技機用信号）を出力するとともに、回胴式遊技機が遊技メダルの投入や払出を検出したときに発する信号と同価値の信号（回胴式遊技機用信号）も出力することとしている。具体的には、例えば本遊技機装置に１０個のパチンコ球が投入されたときには、１個の遊技球投入信号と２個の遊技メダル相当信号が出力される。ゲームで入賞したときにパチンコ球を払出すときも同様である。本遊技機装置が出力する両信号（パチンコ遊技機用信号と回胴式遊技機用信号）の内のどちらを使用するかは、本遊技機装置が設置される場所によって決まる。すなわち、本遊技機装置がパチンコ島に設置されれば、パチンコ遊技機用信号を使用し、回胴島に設置されれば、回胴式遊技機用信号を使用する。
【００１６】
コネクタＣＮ２は、ホトモスリレーに供給する電圧（ＤＣ１２Ｖ）を中継する中継端子５６と、ゲーム状態が大ボーナスになったときに出力される役物連続作動増加装置本当り信号を中継する中継端子５７と、ゲーム状態がレギュラーボーナスになったときに出力される役物連続作動装置本当り信号を中継する中継端子５８と、遊技機装置のゲームの状態を外部に知らせるための信号である内部状態信号を出力するために予備的に設けられた中継端子５９と、を備えている。内部状態信号を出力するための中継端子５９を設けたのは、本遊技機装置が従来にない新しい装置であるので、メーカが任意に外部に信号を出力することができるようにと配慮したものである。
【００１７】
コネクタＣＮ３は、コモン線を中継する中継端子６１と、遊技機装置のドアが開けられたとき等の不正な行為を検出したときに出力される不正検出信号を中継する中継端子６２と、を備えている。なお、ここでは不正を検出する検出器の接点の両端のうちの一方をコモン線とし、他端を不正検出信号用としている。したがって、入力側と出力側とが既に電気的に絶縁された状態であるので、ホトモスリレーは省略している。
【００１８】
コネクタＣＮ４は、遊技球投入信号を外部（本実施形態では、ホール用管理コンピュータ）に出力する二つの中継端子７１，７２と、遊技球払出信号を外部に出力する二つの中継端子７３，７４と、遊技メダル相当投入信号を外部に出力する二つの中継端子７５，７６と、遊技メダル相当払出信号を外部に出力する二つの中継端子７７，７８と、役物連続作動増加装置本当たり信号を外部に出力する二つの中継端子７９，８０と、役物連続作動装置本当り信号を外部に出力する二つの中継端子８１，８２と、内部状態信号を外部に出力する二つの中継端子８３，８４と、不正検出信号を外部に出力する二つの中継端子８５，８６と、を備えている。ここで、中継端子７１〜７４は、本遊技機装置がパチンコ島に設けられた場合に使用する端子であり、中継端子７５〜７８は、本遊技機装置が回胴島に設けられた場合に使用する端子である。他の端子は、本遊技機装置が何れの島に設けられた場合にも、その島を管理するホール用管理コンピュータに接続される。今の場合は、本遊技機装置がパチンコ島に設けられているので、中継端子７１〜７４は、ホール用管理コンピュータ２０に接続されるが、中継端子７５〜７８は接続されない。
【００１９】
なお、抵抗Ｒ１〜Ｒ７は、本実施形態で使用しているホトモスリレーに流す電流が１０ｍＡに規定されているので、各ホトモスリレーに流す電流を１０ｍＡにするために挿入されているものである。
【００２０】
また、本実施形態で使用しているパチンコ遊技機１１は、現在、流通している一般的なものである。したがって、説明を簡略化するために、本実施形態のパチンコ遊技機の詳細な説明は省略する。
【００２１】
［実施形態の動作］
本実施形態の遊技機装置でゲームを行なうときには、遊技者は、上皿３３に入れたパチンコ球を貯留球投入ボタン３４を操作して流し込む。パチンコ球は５個ずつカウントされ、５個カウントされる毎に貯留球数表示部のランプが１個点灯する。回胴式遊技機では、１ライン賭けのゲームを行なうのに１個の遊技メダルを投入してゲームを行なうが、本遊技機装置では、遊技メダルを投入する代わりに、１個の遊技メダルと等価な５個のパチンコ球を投入してゲームを行なう。遊技者は、最大で１５個のパチンコ球を投入して、３ライン賭けのゲームを行なうことができる。
【００２２】
また、回胴式遊技機では、賭けたラインに予め定めた絵柄が揃ったときに入賞となり、所定枚数の遊技メダルが払出されるが、本遊技機装置では入賞となったときには、回胴式遊技機で入賞したときに払出される遊技メダルの枚数と等価な数のパチンコ球が払出される。なお、本実施形態の遊技機装置は、パチンコ球を使用して回胴式遊技機のゲームと同じゲームを行なうものである。したがって、ゲーム内容は、現在、流通している回胴式遊技機と同じであるので、本遊技機装置のゲームの詳細な説明は省略する。
【００２３】
ところで、上述したようにパチンコ遊技機では、遊技者によってパチンコ球が発射されると、アウト口等を介して回収したパチンコ球を計数し、１０個計数する毎に、１個の信号を出力する。ホール用管理コンピュータ２０は、この信号を計数することにより、各パチンコ遊技機に投入されたパチンコ球の数を管理している。
【００２４】
本遊技機装置では、遊技者によってパチンコ球が投入されると、投入されたパチンコ球の数を計数し、投入されたパチンコ球が１０個になると、１個の遊技球投入信号を生成して中継用基板３１の中継端子５２に送出する。中継用基板３１では、遊技球投入信号（負のパルス信号）が入力すると、ホトモスリレーＰＭ１の端子１と端子２の間に電位差が生じて発光し、出力側の端子３と端子４の間が閉状態となる。これにより、電気的に絶縁された状態で出力側の中継端子７１，７２（遊技球投入信号端子１，遊技球投入信号端子２）に遊技球投入信号に対応する信号が送られる。この対応する信号はホール用管理コンピュータ２０に送られる。今、本実施形態の遊技機装置は、パチンコ遊技機が設置されているパチンコ島に設けられているので、パチンコ遊技機と同じように、投入されたパチンコ球の数を示す信号（遊技球投入信号）を出力すれば、パチンコ遊技機を管理する既存のホール用管理コンピュータで、本遊技機装置に投入されたパチンコ球を管理することができる。
【００２５】
また、パチンコ遊技機では、賞球として払出されたパチンコ球を検出し、１０個検出するごとに、１個の信号を出力し、ホール用管理コンピュータ２０はこの信号を計数することにより、各パチンコ遊技機毎に賞球として排出したパチンコ球の数を管理している。
【００２６】
本遊技機装置では、入賞したときに、排出されるパチンコ球を検出し、１０個検出する毎に、１個の遊技球払出信号を中継端子５３に送出する。中継用基板３１では、遊技球払出信号（負のパルス信号）が入力すると、ホトモスリレーＰＭ２の端子１と端子２の間に電位差が生じて発光し、出力側の端子３と端子４とが閉状態となる。これにより、電気的に絶縁された状態で出力側の中継端子７３，７４（遊技球払出信号端子１，遊技球払出信号端子２）に遊技球払出信号に対応する信号が送られる。この対応する信号はホール用管理コンピュータ２０に送られる。これにより、遊技球投入信号のときと同様に、パチンコ遊技機を管理する既存のホール用管理コンピュータ２０で、本実施形態の遊技機装置が払い出したパチンコ球を管理することができる。
【００２７】
同様にして、役物連続作動増加装置本当り信号、役物連続作動装置本当り信号及び内部状態信号も、電気的に絶縁された状態で、ホール用管理コンピュータ２０に送られる。不正検出信号も、上述したように電気的に絶縁された状態でホール用管理コンピュータ２０に送られる。
【００２８】
したがって、本実施形態の遊技機装置をパチンコ遊技機が設置されているパチンコ島に設けたときにも、そのパチンコ島のパチンコ遊技機を管理する既存のホール用管理コンピュータにより、他のパチンコ遊技機と同様に本遊技機装置を管理することができる。
【００２９】
次に、本遊技機装置を回胴式遊技機が設置されている回胴島に設けた場合（第２の使用態様）について説明する。図４は、本実施形態の遊技機装置が設置された遊技場における、回胴式遊技機及び本遊技機装置とホール用管理コンピュータとの接続を示す概略図である。図４に示す遊技場では、回胴式遊技機９１１〜９１ｎが設置されていた回胴島１０ａに、回胴式遊技機９１３（不図示）に代えて本実施形態の遊技機装置３０を設置している。本遊技機装置は、第１の使用態様と同様にホール用管理コンピュータ２０ａとの間で信号を送受するための中継用基板３１を備えている。また、各回胴式遊技機も、ホール用管理コンピュータ２０ａとの間で信号を送受するための中継用基板１００１・・・を備えている。ホール用管理コンピュータ２０ａは、回胴式遊技機に投入された遊技メダルの数や入賞したときに払出される遊技メダルの数等を管理する。
【００３０】
図３に示す中継用基板の配線図は、第２の使用態様でも第１の使用態様と同じである。第２の使用態様が第１の使用態様と異なるのは、第１の使用態様では中継用基板３１の中継端子７１〜７４をホール用管理コンピュータ２０に接続し、中継端子７５〜７８は使用しなかったが、第２の使用態様では中継用基板３１の中継端子７５〜７８をホール用管理コンピュータ２０ａに接続し、中継端子７１〜７４を使用していない点である。第２の使用態様の他の部分は、第１の使用態様と同じであるので、第１の使用態様と同様の部分の詳細な説明は省略する。以下では、第２の使用態様が第１の使用態様と異なる点について説明する。
【００３１】
第２の使用態様でも、遊技者は、上皿３３に入れたパチンコ球を貯留球投入ボタン３４を操作して流し込む。パチンコ球は、５個ずつカウントされ、５個カウントされる毎に貯留球数表示部のランプが１個点灯する。
【００３２】
ところで、通常、回胴式遊技機では、遊技者によって遊技メダルが投入されると、投入された遊技メダルを検出して遊技メダル投入信号を出力する。ホール用管理コンピュータ２０ａは、この信号を計数することにより、各回動式遊技機９１に投入された遊技メダルの数を管理する。
【００３３】
第２の使用態様では、遊技者によってパチンコ球が投入されると、投入されたパチンコ球の数を計数し、投入されたパチンコ球が５個になると、１個の遊技メダル相当投入信号を生成して中継用基板３１の中継端子５４に出力する。中継用基板３１では、遊技メダル相当投入信号が入力すると、これによりホトモスリレーＰＭ３が動作し、電気的に絶縁された状態で出力側の中継端子７５，７６（遊技メダル相当投入信号端子１，遊技メダル相当投入信号端子２）に対応する信号が送られる。この対応する信号はホール用管理コンピュータ２０ａに送られる。第２の使用態様では、本遊技機装置を、回胴式遊技機が設置されている回胴島に設置値しているので、回胴式遊技機で使用する一枚の遊技メダルと等価なパチンコ球の数（５個）を示す信号（例えば、遊技メダル相当投入信号）を出力することにより、回胴式遊技機を管理する既設のホール用管理コンピュータ２０ａで、本遊技機装置に投入されたパチンコ球を遊技メダルの管理と同様に管理することができる。
【００３４】
また、回胴式遊技機では、入賞したときに払出された遊技メダルを検出し、１個検出するごとに、１個の信号を出力し、ホール用管理コンピュータ２０ａはこの信号を計数することにより、各回胴式遊技機毎に、入賞したときに払出した遊技メダルの数を管理している。
【００３５】
本遊技機装置では、入賞したときに、排出されるパチンコ球を検出し、５個検出する毎に、１個の信号（遊技メダル相当払出信号）を生成して中継端子５５に出力する。中継用基板３１では、遊技メダル相当払出信号が入力すると、これによりホトモスリレーＰＭ４が動作し、電気的に絶縁された状態で出力側の中継端子７７，７８（遊技メダル相当払出信号端子１，遊技球メダル相当払出信号端子２）に対応する信号が送られる。この対応する信号がホール用管理コンピュータ２０ａに送られる。これにより、遊技メダル相当投入信号のときと同様に、回胴式遊技機を管理する既設のホール用管理コンピュータ２０ａで、本実施形態の遊技機装置が払い出したパチンコ球を、遊技メダルを管理するのと同様に管理することができる。
【００３６】
［実施形態の効果］  上記の本実施形態によれば、本遊技機装置をパチンコ島に設置した場合には、中継端子７１〜７４を用いることにより、パチンコ遊技機の入球、出球を管理する既存のホール用管理コンピュータにより、本遊技機装置を管理することができ、また本遊技機装置を回胴島に設置した場合には、中継端子７５〜７８を使用することにより、回胴式遊技機の入メダル、出メダルを管理する既存のホール用管理コンピュータにより、本遊技機装置を管理することができる。すなわち、本実施形態の遊技機装置は、パチンコ島或いは回胴島の何れの島に設置したときでも、使用する中継端子を代えるだけで、既存のホール用管理コンピュータにより、本遊技機装置を管理することができる。したがって、遊技場側では、ホール用管理コンピュータのプログラムを何ら変更することなく、本遊技機装置をパチンコ島及び回胴島の何れにも自由に配置して管理することができる。
【００３７】
また、本実施形態では、２本の線を用いて信号を出力している。従来のように、出力する各信号の一方の側を共通にしたコモン線を設け、各信号毎に１本の線により信号を出力する場合に比べて、本実施形態によれば、ホール用管理コンピュータを設計する際の自由度が大きくなる。すなわち、２本線を用いる場合、各接点の両端から線が出されているので、ホール用管理コンピュータ側では、この接点を利用して、例えば、信号を電圧信号として取り出すことも、或いは電流信号として取り出すこともできるので、端子数は増えるが、設計の自由度は大きくなる。
【００３８】
また、本実施形態によれば、不正行為、例えば全面のドアが不正に開けられたときにこれを検出して出力する不正検出信号を中継して、ホール用管理コンピュータに出力することができる。
【００３９】
［他の実施形態］
本発明は、上記の実施形態に限定されるものではなく、その要旨の範囲内において種々の変形が可能である。例えば、上記の実施形態では、１個の遊技メダルと５個のパチンコ球が等価である場合について説明したが、本発明はこの数値に限定されものではない。
【００４０】
また、上記の実施形態では、投入された１０個のパチンコ球を検出したときに、パチンコ遊技機が１個の検出信号を出力する場合について説明したが、本発明はこれに限定されるものではなく、例えば８個のパチンコ球が投入されたときに、１個の検出信号を出力するものであってもよい。
【００４１】
また、上記の実施形態では、ホトモスリレーを用いた場合について説明したが、ホトモスリレーの代わりにホトカプラーや電磁リレー等を用いて電気的に絶縁して信号を中継するものでもよい。
【００４２】
また、上記の本実施形態では、回胴島に配置された回胴式遊技機のうちの一台を本遊技機装置と交換した場合について説明したが、回胴島に本遊技機装置を設置する場合は、全ての回胴式遊技機を本遊技機装置と交換することが望ましい。回胴島の一部に本遊技機装置を設置すると、この回胴島では、遊技メダルとパチンコ球の両方の供給装置等が必要となり、島の管理が煩雑になるからである。
【００４３】
【発明の効果】
以上説明したように本発明によれば、遊技球投入信号を中継するための中継端子と遊技球払出信号を中継するための中継端子、及び、遊技メダル相当入力信号を中継するための中継端子と遊技メダル相当払出信号を中継するための中継端子を有する中継用基板を備えることにより、パチンコ島及び回胴島の何れの島に設置した場合でも、既存のホール用管理コンピュータにより、管理することができる遊技機装置を提供することができる。
【図面の簡単な説明】
【図１】本実施形態の遊技機装置が設置された遊技場における、パチンコ遊技機及び本遊技機装置とホール用管理コンピュータとの接続を示す概略図である。
【図２】本実施形態の遊技機装置の概略斜視図である。
【図３】本実施形態の遊技機装置に設けられた中継用基板の配線図である。
【図４】本実施形態の遊技機装置が設置された遊技場における、回胴式遊技機及び本遊技機装置とホール用管理コンピュータとの接続を示す概略図である。
【符号の説明】
１０：パチンコ島、  １０ａ：回胴島、  １１：パチンコ遊技機、
２１：パチンコ遊技機用の中継用基板、
２０，２０ａ：ホール用管理コンピュータ、  ３０：遊技機装置、
３１：遊技機装置用の中継用基板、  ５１〜６２：入力側の中継端子、
７１〜８６：出力側の中継端子、  ９１：回胴式遊技機、
１００：回胴式遊技機用の中継用基板、  ＰＭ１〜ＰＭ７：ホトモスリレー、
Ｒ：抵抗
【図１】
2004208862.tif 000003
【図２】
2004208862.tif 000004
【図３】
2004208862.tif 000005
【図４】
2004208862.tif 000006